【事件の表示】
　特願２００４−２３３７８４「遊技機」拒絶査定不服審判事件〔平成１８年　２月２３日出願公開、特開２００６−　５１１１７〕について、次のとおり審決する。
【結　論】
　本件審判の請求は、成り立たない。
【理　由】
　
第一、手続きの経緯
　本願は、平成１６年８月１０日の出願であって、平成２０年７月７日付けで拒絶理由が通知され、これに対し、同年９月１０日付けで手続補正がなされ、同年１０月２９日付けで拒絶査定がなされ、これに対し、同年１２月４日に拒絶査定不服の審判請求がなされるとともに、同年同月２４日付け手続補正書によって特許請求の範囲及び明細書の一部が補正されたものである。
　なお、当審において、平成２１年１０月２日付けで審査官による前置報告書の内容を添付して審尋を行い、同年１１月２４日に回答書が提出されている。
　
第二、平成２０年１２月２４日付けの手続補正についての補正却下の決定
［補正却下の決定の結論］
　平成２０年１２月２４日付けの手続補正（以下、「本件補正」という。）を却下する。
［理由］
　（１）補正前・後の本願発明　　
　補正前（平成２０年９月１０日付け手続補正による補正）の特許請求の範囲の記載は次のとおりである。
　「【請求項１】
　略円形状に湾曲形成された案内レールを遊技盤に配設して、この案内レールにより略円形状の遊技領域を遊技盤に画成した遊技機において、
　前記遊技領域の中央位置に配置され、前記遊技盤の遊技盤面から該遊技領域側に突出させて設けられるセンター役物と、
　前記センター役物において左右方向の中心位置が上方に膨出する円弧状に形成された上端部に、前記遊技盤面に臨むように設けられた収容部と、
　前記収容部に、前記センター役物の上端部の円弧形状に倣うように配設され、前記遊技領域内の該センター役物の上方位置における遊技盤面を照明する発光手段とを備える
ことを特徴とする遊技機。
　【請求項２】
　前記発光手段は、前記センター役物の上端部に上方に開口するよう開設された前記収容部の底部に配設された基板に配設された発光体と、この発光体の前側に配置されて該発光体の光を遊技盤面側へ反射する反射板と、前記収容部の上方開口を閉成して前記センター役物の上端部上面をなす透光性部材とを備え、前記発光体の点灯時に、遊技盤面とは異なる方向へ照射された光を前記反射板が遊技盤面側に反射し得るよう構成した請求項１記載の遊技機。
　【請求項３】
　前記センター役物の上端部は、前記遊技領域の上部を画成する前記案内レールの円弧形状に倣って円弧形状に形成される請求項１または２記載の遊技機。
　【請求項４】
　前記センター役物には、前方を照明する第２の発光手段が配設される請求項１〜３の何れか一項に記載の遊技機。
　【請求項５】
　前記遊技盤面を照明する前記発光手段は、前記遊技領域の上部を画成する前記案内レールと前記センター役物の上端部との間を照明するよう構成した請求項１〜４の何れか一項に記載の遊技機。」　
　　
　また、補正後（平成２０年１２月２４日付け手続補正による補正）の特許請求の範囲の記載は次のとおりである。
　「【請求項１】
　略円形状に湾曲形成された案内レールを遊技盤に配設して、この案内レールにより略円形状の遊技領域を遊技盤に画成した遊技機において、
　前記遊技領域の中央位置に位置して前記遊技盤の遊技盤面から該遊技領域側に突出させて設けられ、上端部が前記遊技領域の上部を画成する前記案内レールの円弧形状に倣って円弧形状に形成されたセンター役物と、
　前記センター役物において左右方向の中心位置が上方に膨出する円弧状に形成された上端部に上方に開口するよう凹状に形成され、上方開口が前記遊技盤面に臨むように設けられた収容部と、
　前記センター役物の上端部の円弧形状に倣うように湾曲させた状態で前記収容部の底部に設けられたフレキシブル基板の上面に配設されて、前記遊技領域内の該センター役物の上方位置における遊技盤面を照明する複数の発光体と、これらの発光体の前側に位置して該収容部における前側の壁面に配置されて該発光体の光を遊技盤面側へ反射する反射板とを有する発光手段とを備え、
　前記各発光体は、前記収容部の上方開口を閉成して前記センター役物における円弧形状の上端部上面を構成してパチンコ球を案内する透光性部材からの距離が一定になるように配設され、
　前記発光手段は、前記発光体の点灯時に、遊技盤面とは異なる方向へ照射された光を前記反射板が遊技盤面側に反射し得るよう構成した
ことを特徴とする遊技機。
　【請求項２】
　前記センター役物には、前方を照明する第２の発光手段が配設される請求項１記載の遊技機。
　【請求項３】
　前記遊技盤面を照明する前記発光手段は、前記遊技領域の上部を画成する前記案内レールと前記センター役物の上端部との間を照明するよう構成した請求項１または２記載の遊技機。」
　　　
　上記補正は、　
　イ）補正前の特許請求の範囲の請求項２及び３を削除して、請求項４及び５を順次繰り上げ、
　ロ）補正前の特許請求の範囲の請求項１に記載された「遊技盤面に臨むように設けられた収容部」を「上方に開口するよう凹状に形成され、上方開口が（前記）遊技盤面に臨むように設けられた収容部」と限定し、
　ハ）同「発光手段」について、「センター役物の上端部の円弧形状に倣うように湾曲させた状態で（前記）収容部の底部に設けられたフレキシブル基板の上面に配設されて、（前記）遊技領域内の該センター役物の上方位置における遊技盤面を照明する複数の発光体と、これらの発光体の前側に位置して該収容部における前側の壁面に配置されて該発光体の光を遊技盤面側へ反射する反射板とを有する発光手段とを備え、
　前記各発光体は、前記収容部の上方開口を閉成して前記センター役物における円弧形状の上端部上面を構成してパチンコ球を案内する透光性部材からの距離が一定になるように配設され、
　前記発光手段は、前記発光体の点灯時に、遊技盤面とは異なる方向へ照射された光を前記反射板が遊技盤面側に反射し得るよう構成した」と限定するものであるから、本件補正は、平成１８年法律第５５号改正附則第３条第１項によりなお従前の例によるとされる同法による改正前の特許法第１７条の２第４項第１号の請求項の削除、及び同項第２号の特許請求の範囲の減縮を目的とするものに該当する。
　
　（２）そこで、本件補正後の請求項１に記載された発明（以下、「本願補正発明１」という。）が特許出願の際独立して特許を受けることができるものであるのか（上記改正前の特許法第１７条の２第５項において準用する同法第１２６条第５項の規定に適合するか）について以下に検討する。
　
　（あ）刊行物に記載された発明
刊行物１；特開平１０−２１６３０５号公報
刊行物ア；特開２００１−２５９１２５号公報
　　　　　　（平成１３年９月２５日公開）
刊行物イ；実願平５−３１２６４号（実開平６−８３０８１号）の
　　　　　　ＣＤ−ＲＯＭ 
　
　原査定の拒絶理由に引用され、本願出願前に頒布された、特開平１０−２１６３０５号公報（以下、「引用刊行物１」という。）には以下の記載がある。
　（１−１）「【０００３】
【発明が解決しようとする課題】・・・本発明は、上記した事情に鑑みなされたもので、その目的とするところは、遊技盤面上の光装飾部分を限定することなく、且つ光装飾の効果を十分奏し得る弾球遊技機を提供することにある。
【０００４】
【課題を解決するための手段】上記目的を達成するために本発明が採用した解決手段は、図３に示すように、遊技盤３０を備えた弾球遊技機１において、遊技盤３０の表面に横方向から光を照射する発光手段（装飾ランプ１２・６３）を備え、該装飾ランプ１２・６３からの発光を遊技者側に反射する光反射領域７０を遊技盤３０に設けたことを特徴とする。このように構成することにより、装飾ランプ１２・６３からの発光を光反射領域７０を介して遊技者側に反射させることで、遊技盤３０面上の光装飾効果を十分奏すことができる。・・・」、　
　（１−２）「【０００９】
【発明の実施の形態】以下、図面を参照して、本発明の実施形態について説明する。まず、図１及び図３を参照して弾球遊技機１の全体の構成について説明する。図１は、実施形態に係る弾球遊技機１の正面図であり、図３は、弾球遊技機１の横断面図である。・・・」、
　（１−３）「【００１６】次に、遊技盤３０に設けられる各種構成部材について図２を参照して説明する。遊技盤３０の表面には、発射された打玉を誘導するための誘導レール３１がほぼ円状に植立され、該誘導レール３１で区画された領域が遊技領域３２を構成している。遊技領域３２のほぼ中央には、後述する各特別図柄表示部５４〜５６での識別情報（以下、特別図柄という）の可変表示（以下、変動ともいう）を可能にする特別可変表示装置５０が配置されている。・・・
【００１７】遊技領域３２の下方部位には、取付基板３６を介して遊技盤３０に取り付けられた特別可変入賞球装置３５が配置されている。・・・また、特別可変入賞球装置３５の左右側方には、遊技盤３０の表面に光を照射する発光装置４２が設けられている。」、　
　（１−４）「【００１９】遊技領域３２の左右の側端部分には、発光装置４２と同様に、遊技盤３０の表面に光を照射する発光装置４３が配置されている。・・・
【００２０】次に、遊技領域３２のほぼ中央に配置される特別可変表示装置５０について説明する。特別可変表示装置５０は、取付基板５１を介して遊技盤３０の表面に取り付けられている。・・・そして、外周に特別図柄が描かれた回転ドラムを左・中・右の各窓開口に対応して配置することで、左・中・右の各特別図柄表示部５４〜５６が構成されている。・・・一方、特別図柄表示部５４〜５６の上方には、入賞口５８と飾りＬＥＤ５９とが設けられ、入賞口５８の左右側方には、発光装置４２・４３と同様の発光装置６０が設けられている。」、
　（１−５）「【００２２】次に、上記した発光装置４３の構成について図３を参照して説明する。なお、発光装置４２・６０は、基本的に発光装置４３と同一の構成であるため、その詳細な説明は省略する。発光装置４３は、図３に示すように、遊技盤３０の表面に取り付けられるランプ取付基体６１と、該ランプ取付基体６１に形成された取付ボス６１ａにビス止めされるランプ基板６２と、を備えている。ランプ基板６２には、植立するランプ取付ピン６２ａを介して装飾ランプ６３が接続されており、これによって、装飾ランプ６３は、ランプ基板６２を介してランプ取付基体６１の内部に取り付け収納されている。ランプ取付基体６１は、遊技盤３０の中心側と対向する部分に切欠開口６１ｂが形成されており、ランプ取付基体６１の内部には、その切欠開口６１ｂを塞ぐように青色の透明レンズ体６４が設けられている。また、このようなランプ取付基体６１及び透明レンズ体６４によって前面側が被覆された装飾ランプ６３は、ランプ取付ピン６２ａが遊技盤３０の中心側に若干折曲形成されることで切欠開口６１ｂに向かって傾いた状態にある。これにより、装飾ランプ６３からの発光は、透明レンズ体６４を透過して遊技盤３０の表面に青色照射されるようになっている。なお、発光装置４３は、上記した切欠開口６１ｂ及び装飾ランプ６３が上下２箇所に設けられることで、遊技盤３０表面の上側部分と下側部分との２箇所に光照射を行うようになっている。発光装置４２・６０は、それぞれ装飾ランプ６３を１個のみ備えることで、遊技盤３０表面の１箇所に光照射を行う。
【００２３】次に、遊技盤３０の構成について図４（Ａ）を参照して説明する。・・・光吸収印刷層７４は、主に遊技領域３２の全範囲に亘って設けられている。一方、光反射印刷層７５は、発光装置４２・４３・６０（装飾ランプ６３）の光照射部分と対応する部位に円形状に設けられ、装飾ランプ６３からの青色発光を遊技者側に装飾的に反射する光反射領域７０として形成されている。なお、このような光反射領域７０は、発光装置４２・４３・６０の光照射部分と対応すべく、特別可変表示装置５０の外周に沿った計８箇所に設けられている。・・・」、　
　（１−６）「【００３１】・・・このように、大入賞口開放中及び特定入賞口入賞時には、装飾ランプ１２・６３が交互に点滅することで赤色と青色との光装飾が交互に行われる。一方、次回開放までの間及び確率変動中には、装飾ランプ１２・６３が同期的に点滅することで赤色と青色とが混ざり合った光装飾が行われる。
【００３２】以上のように、本実施形態に係る弾球遊技機１は、遊技盤３０の表面に横方向から光を照射する装飾ランプ１２・６３を備え、該装飾ランプ１２・６３からの発光を遊技者側に反射する光反射領域７０を遊技盤３０に設けた構成となっている。このため、装飾ランプ１２・６３からの発光（透明レンズ１４及び透明レンズ体６４を介した赤色及び青色の発光）を光反射領域７０を介して遊技者側に反射させることができるので、遊技盤３０面上の光装飾効果を十分奏すことができる。・・・
【００３３】また、上記した装飾ランプ１２・６３及び光反射領域７０による遊技盤３０面上の光装飾は、リーチ１〜３を含む各種遊技状態に応じて異なった態様で行われる。・・・具体的には、リーチ１・２の場合、装飾ランプ１２の点滅によって赤色の光装飾が行われるが、これに対してスーパーリーチをなす（大当り信頼度が高い）リーチ３の場合、装飾ランプ６３の点滅によって青色の光装飾が行われる。・・・
【００３４】・・・また、発光手段（装飾ランプ１２・６３）及び光反射領域の配設箇所及び配設個数、又はその形状は、実施形態中に記載のものに限定しない。例えば、装飾ランプ１２・６３のいずれか一方のみを設けた構成としたり、遊技領域の全域を光反射領域として形成してもよい。・・・」。
　
　（１−７）また、本発明の一実施形態における弾球遊技機を示す正面図である【図１】及び遊技盤を示す正面図である【図２】には、「上端部が上方に膨出する形状に形成される特別可変表示装置５０」及び「２つの発光装置４２及び２つの発光装置４３並びに２つの発光装置６０」並びに「特別可変表示装置５０の上方、下方、左方及び右方位置の各々に２箇所ずつ設けられた、光反射領域７０」が示されている。　
　　　　　　
　したがって、これらの記載をまとめると、引用刊行物１には、
「遊技盤３０の表面に横方向から光を照射する装飾ランプ６３を備え、該装飾ランプ６３からの発光を遊技盤３０に設けた光反射領域７０を介して遊技者側に反射させることで、遊技盤３０面上の光装飾の効果を十分奏し得る弾球遊技機１において、　
　遊技盤３０の表面には、発射された打玉を誘導するための誘導レール３１がほぼ円状に植立され、該誘導レール３１で区画された遊技領域３２のほぼ中央には、各特別図柄表示部５４〜５６での識別情報の可変表示を可能にする特別可変表示装置５０が配置され、
　前記遊技領域３２の下方部位には、遊技盤３０の表面に光を照射する発光装置４２が左右側方に設けられている特別可変入賞球装置３５が配置され、
　前記遊技領域３２の左右の側端部分には、遊技盤３０の表面に光を照射する発光装置４３が配置され、
　前記特別可変表示装置５０における、特別図柄表示部５４〜５６の上方には、入賞口５８が設けられ、該入賞口５８の左右側方には発光装置６０が設けられ、当該特別可変表示装置５０は上端部が上方に膨出する形状に形成され、
　発光装置４２及び発光装置６０は、基本的に発光装置４３と同一の構成であり、
　発光装置４３は、遊技盤３０の表面に取り付けられるランプ取付基体６１とランプ基板６２とを備え、装飾ランプ６３は、ランプ基板６２を介してランプ取付基体６１の内部に取り付け収納され、遊技盤３０の中心側と対向する部分に切欠開口６１ｂが形成されているランプ取付基体６１の内部には、その切欠開口６１ｂを塞ぐように青色の透明レンズ体６４が設けられ、ランプ取付基体６１及び透明レンズ体６４によって前面側が被覆された装飾ランプ６３は、各種遊技状態に応じて点滅し、装飾ランプ６３からの発光は、透明レンズ体６４を透過して遊技盤３０の表面に青色照射され、
　前記発光装置４３は、切欠開口６１ｂ及び装飾ランプ６３が上下２箇所に設けられることで、遊技盤３０表面の上側部分と下側部分との２箇所に光照射を行い、発光装置４２及び発光装置６０は、それぞれ装飾ランプ６３を１個のみ備えることで、遊技盤３０表面の１箇所に光照射を行い、
　光反射領域７０は、２つの発光装置４２及び２つの発光装置４３並びに２つの発光装置６０の光照射部分と対応すべく、特別可変表示装置５０の外周に沿った上方、下方、左方及び右方位置の各々に２箇所ずつ、計８箇所に設けられ、
　装飾ランプ６３及び光反射領域７０の配設箇所及び配設個数は、当該記載のものに限定されない、弾球遊技機１。」の発明（以下、「引用発明１」という。）が記載されていると認められる。
　
　本願出願前に頒布された、特開２００１−２５９１２５号公報（以下、「刊行物ア」という。）には、以下の記載がある。
　（ア−１）「（５７）【要約】
【課題】・・・
【解決手段】  曲面形状のレンズ部を有する装飾カバー体１と、多数の発光素子２３が配置された光源回路基板２０を設け、レンズ部６に光源回路基板の発光素子から発する光を照射するように構成された遊技機における電飾構造であって、その光源回路基板は、可撓性を有する薄い基板の表面にプリント配線処理が施されていると共に多数の発光素子が直接に配置されており、光源回路基板２０を湾曲させてレンズ部６の曲面形状に沿ってほぼ一定の間隔を保持するように設け、光源回路基板２０の発光素子２３から発せられる光をレンズ部６に対して均一に照射するように構成した。」、
　（ア−２）「【０００２】
【従来の技術】・・・そして、レンズ部が曲面形状とされている場合には、その形状に発光ダイオード等を備えた回路基板をきちんと沿うように設置することができないため、電飾の明るさが部位により異なってレンズ部の全体を均一に明るく照射することは困難であった。そこで、発光ダイオード等を備えた回路基板を複数に分割し、これをレンズ部の曲面形状に合わせて配置するという構造が採られているものもあるが、複数の回路基板を使用しなければならないことから製造コストが高くならざるを得なかった。」、
　（ア−３）「【０００５】
【発明の作用及び効果】この発明に用いる光源回路基板は薄くて可撓性を有し適度に湾曲させることができ、装飾カバー体のレンズ部が曲面形状であってもその形状に沿ってほぼ一定の間隔を保持するように取り付けることができる。・・・」、
　（ア−４）「【０００８】図１において、１はパチンコ機の遊技盤の中央に配置されて様々な図柄や文字等の識別情報を表示する液晶表示ユニットの液晶部（図示せず）の周囲を飾るプラスチック製の装飾カバー体である。・・・
【０００９】・・・この裏樋板１０に上記装飾カバー体１を組み合わせた場合には、裏樋板１０の円弧状壁片１３の内面が前記レンズ部６の曲面形状に沿ってほぼ一定の間隔を保持されるように設ける。・・・
【００１０】２０は光源回路基板である。この光源回路基板２０は、図４に示すように、薄くて可撓性を有する基板２１の表面にプリント配線処理が施されていると共に、多数の発光素子２３が２列に配置されていてその上から透光性樹脂によりモールド成形が施されている。・・・
【００１１】上記光源回路基板２０は、図２、図３に示すように、その突片２２を前記裏樋板１０の透孔１２に挿入し、かつ、全体を湾曲させつつ前記円弧状壁片１３の内面に密着させてその端部を前記係止突起１４、１４に当接させることにより、該円弧状壁片１３にほぼ固定される。」、
　（ア−５）「【００１３】図２、図３に示すように、その裏樋枠３０を上記裏樋板１０に取り付けた状態においては、その顎状部３１と前記円弧状壁片１３とにより囲まれる空間ｓ内に光源回路基板２０が安定して収められるように設けられている。以上により、パチンコ機における電飾構造が構成される。
【００１４】上述した遊技機たるパチンコ機における電飾構造によれば、光源回路基板２０の多数の発光素子２３は装飾カバー体１のレンズ部６に対して各々法線方向に配置されるので、それら発光素子２３から発せられる光はレンズ部６を均一に照射することができる。その結果、液晶部の周囲が一様に明るくなって装飾効果が一層高められる。」。　
　　　　　
　本願出願前に頒布された、実願平５−３１２６４号（実開平６−８３０８１号）のＣＤ−ＲＯＭ（以下、「刊行物イ」という。）には、以下の記載がある。
　（イ−１）「　【０００９】
　しかして、本考案では、基板部１７の下部に横長箱状の照明カバー２２を着脱自在に装着して表示ランプ１６と一体に照明室２３を形成し、該照明室２３の内部に蛍光灯やネオン管等の照明灯２４を設ける。」、　
　（イ−２）「【００１１】
  また、照明カバー２２は透明な合成樹脂で形成し、その底面を除く内面に銀，アルミニウーム等を裏張りしたり、金属メッキにより光を良く反射する鏡面仕上げ３４を施こす。
　【００１２】
　なお、上記照明カバー２２は、・・・図６に示すようにレンズ部材１８ａ〜１８ｃの下部を延長して兼用させるようにしてもよく、この場合には底面を開口２７させて照明灯２４の光が下方へ直接に漏出するようにするか、或いは図示しないが開口２７をレンズ部材で覆って光を効果的に拡散させるようにしてもよい。・・・
　【００１３】
　従って、照明灯２４の点灯に伴ないその光が表示ランプ１６の下方から各パチンコ機１３の前面に拡散して放たれて柔かく照明し、美しく斬新なムード照明が得られる。」。　
　　　　　　　　　　　　
　（い）本願補正発明１と引用発明１との比較・検討
　（い−１）引用発明１の「ほぼ円状に」は本願補正発明１の「略円形状に湾曲形成された」に相当し、以下同様に、「誘導レール３１」は「案内レール」に、「遊技盤３０」は「遊技盤」に、「植立され」は「配設して」に、「遊技領域３２」は「略円形状の遊技領域」に、「区画」は「画成」に、「弾球遊技機１」は「遊技機」に、「特別可変表示装置５０」は「センター役物」に、「ランプ取付基体６１」は「（その）内部に装飾ランプ６３は取り付け収納され」ているから「収容部」に、「ランプ基板６２」は「基板」に、「特別可変表示装置５０の外周に沿った上方位置」は「センター役物の上方位置」に、「遊技盤３０表面」は「遊技盤面」に、「光照射を行い」は「照明する」に、「装飾ランプ６３」は「発光体」に、「打玉」は「パチンコ球」に、「透明レンズ体６４」は「透光性部材」に、それぞれ相当する。
　（い−２）引用発明１の「特別可変表示装置５０」は、「遊技領域３２のほぼ中央に配置され」、「特別図柄表示部５４〜５６の上方に、入賞口５８が設けられ」るものであり、当該分野の技術常識である「遊技盤面を流下するパチンコ球が、遊技盤面から遊技領域側に突出させて設けられる役物に設けられた入賞口に入賞する」ことを考慮すれば、引用発明１は本願補正発明１の「遊技盤の遊技盤面から遊技領域側に突出させて設けられる、センター役物」に相当する事項を備えていることは明らかである。
　（い−３）引用発明１の「遊技盤３０の表面に取り付けられ、切欠開口６１ｂが形成されているランプ取付基体６１」について、「発光装置４２及び発光装置６０は、基本的に発光装置４３と同一の構成で」あることに着目しつつ、検討する。
　　ａ）引用発明１においては、発光装置６０に備えられる装飾ランプ６３はランプ取付基体６１の内部に取り付け収納され、ランプ取付基体６１の切欠開口６１ｂを塞ぐように青色の透明レンズ体６４が設けられ、装飾ランプ６３はランプ取付基体６１及び透明レンズ体６４によって前面側が被覆され、装飾ランプ６３からの発光は透明レンズ体６４を透過して遊技盤３０の表面に青色照射されるものであるから、そうすると透明レンズ体６４と遊技盤３０の表面との間には装飾ランプ６３からの発光を遮るものが存在しない、即ちランプ取付基体６１及び透明レンズ体６４は特別可変表示装置５０の端部に形成されていると解することができる。したがって、引用発明１は、本願補正発明１の「センター役物において端部に開口するよう凹状に形成され、開口が遊技盤面に臨むように設けられた収容部」に相当する事項を備えているといえる。
　　ｂ）引用発明１の「装飾ランプ６３を１個のみ備えることで、遊技盤３０表面の１箇所に光照射を行う、発光装置６０」との事項及び「光反射領域７０は、２つの発光装置４２及び２つの発光装置４３並びに２つの発光装置６０の光照射部分と対応すべく、特別可変表示装置５０の外周に沿った上方、下方、左方及び右方位置の各々に２箇所ずつ、計８箇所に設けられ」との事項について、各発光装置４２，４３，６０と特別可変表示装置５０との位置関係を考慮すれば、引用発明１では、「発光装置６０に備えられる装飾ランプ６３が、特別可変表示装置５０の外周に沿った上方位置の２箇所に光照射を行う」ものであることは明らかである。
　　ｃ）そうすると、上記ａ）及びｂ）に記載の事項並びに「特別可変表示装置５０は上端部が上方に膨出する形状に形成され」との事項から、引用発明１は本願補正発明１の「センター役物において左右方向の中心位置が上方に膨出する形状に形成された上端部に上方に開口するよう凹状に形成され、上方開口が遊技盤面に臨むように設けられた収容部」に相当する事項を備えているといえる。
　（い−４）引用発明１の、「遊技盤３０の表面に取り付けられるランプ取付基体６１とランプ基板６２とを備え、装飾ランプ６３は、ランプ基板６２を介してランプ取付基体６１の内部に取り付け収納され」る、「発光装置４３」及び「装飾ランプ６３を１個のみ備えることで、遊技盤３０表面の１箇所に光照射を行」なう「発光装置６０」並びに入賞口５８の側方に２つ設けられる「発光装置６０」について、「発光装置６０は、基本的に発光装置４３と同一の構成で」あることに着目しつつ検討すると、引用発明１の「発光装置６０に備えられる装飾ランプ６３が、特別可変表示装置５０の外周に沿った上方位置の２箇所に光照射を行う」ものであることは上記「（い−３）　ｂ）」に記載したとおり明らかであるから、引用発明１は本願補正発明１の「センター役物の上端部の円弧形状に倣うように湾曲させた状態で（前記）収容部の底部に設けられたフレキシブル基板の上面に配設されて、（前記）遊技領域内の該センター役物の上方位置における遊技盤面を照明する複数の発光体と、これらの発光体の前側に位置して該収容部における前側の壁面に配置されて該発光体の光を遊技盤面側へ反射する反射板とを有する発光手段」との事項と比較して、「収容部に設けられた基板の上面に配設されて、（前記）遊技領域内の該センター役物の上方位置における遊技盤面を照明する複数の発光体を有する発光手段」において一致する。
　（い−５）上記「（い−３）　ｃ）」に記載したように、引用発明１は本願補正発明１の「センター役物において左右方向の中心位置が上方に膨出する形状に形成された上端部に上方に開口するよう凹状に形成され、上方開口が遊技盤面に臨むように設けられた収容部」に相当する事項を備えているから、当該事項と引用発明１の「ランプ取付基体６１の切欠開口６１ｂを塞ぐように設けられる、青色の透明レンズ体６４」との技術事項を併せれば、引用発明１は本願補正発明１の「収容部の上方開口を閉成して（前記）センター役物における上端部上面を構成する透光性部材」に相当する事項を備えているといえる。そこで、引用発明１と本願補正発明１の「（前記）各発光体は、（前記）収容部の上方開口を閉成して（前記）センター役物における円弧形状の上端部上面を構成してパチンコ球を案内する透光性部材からの距離が一定になるように配設され、」との事項とを比較すると、センター役物の上端部上面がパチンコ球を案内することは当該分野においては技術常識であるから、両者は「（前記）各発光体は、（前記）収容部の上方開口を閉成して（前記）センター役物における上端部上面を構成してパチンコ球を案内する透光性部材の近傍に配設され、」において一致する。
　　　
　そうすると、両者の一致点及び相違点は次のとおりである。
　一致点
　略円形状に湾曲形成された案内レールを遊技盤に配設して、この案内レールにより略円形状の遊技領域を遊技盤に画成した遊技機において、
　前記遊技領域に位置して前記遊技盤の遊技盤面から該遊技領域側に突出させて設けられたセンター役物と、
　前記センター役物において左右方向の中心位置が上方に膨出する形状に形成された上端部に上方に開口するよう凹状に形成され、上方開口が前記遊技盤面に臨むように設けられた収容部と、
　前記収容部に設けられた基板の上面に配設されて、前記遊技領域内の該センター役物の上方位置における遊技盤面を照明する複数の発光体を有する発光手段とを備え、
　前記各発光体は、前記収容部の上方開口を閉成して前記センター役物における上端部上面を構成してパチンコ球を案内する透光性部材の近傍に配設される、遊技機。
　
　相違点１
　センター役物が、本願補正発明１では遊技領域の中央位置に位置し、上端部が遊技領域の上部を画成する案内レールの円弧形状に倣って円弧形状に形成されるのに対し、引用発明１では遊技領域のほぼ中央に配置され、上方には入賞口が設けられ、上端部が上方に膨出する形状に形成される点。
　相違点２
　収容部に設けられた基板が、本願補正発明１では、センター役物の上端部の円弧形状に倣うように湾曲させた状態で前記収容部の底部に設けられたフレキシブル基板であるのに対し、引用発明１ではそのような構成を有するかどうか明らかでない点。
　相違点３
　発光手段は、本願補正発明１では、複数の発光体の前側に位置して収容部における前側の壁面に配置されて該発光体の光を遊技盤面側へ反射する反射板を有し、前記発光体の点灯時に、遊技盤面とは異なる方向へ照射された光を前記反射板が遊技盤面側に反射し得るよう構成したのに対し、引用発明１では、発光体の点灯時に遊技盤面を照明するものの反射板を有するかどうか不明である点。
　相違点４
　各発光体が、本願補正発明１では、円弧形状の透光性部材からの距離が一定になるように配設されるのに対し、引用発明１では透光性部材からの距離について記載されていない点。
　　　
　そこで、上記相違点について検討する。
　相違点１について　　　　
　センター役物の上端部の形状及び入賞口の有無、並びにセンター役物の遊技領域への取付け位置をどのようなものとするかは、遊技盤面の意匠的な審美観や遊技領域を流下するパチンコ球の誘導方向、入賞形態などを総合的に考慮して当業者が適宜採用し得る設計上の事項であるから、引用発明１の「遊技領域のほぼ中央に配置され、上方には入賞口が設けられ、上端部が上方に膨出する形状に形成されるセンター役物」に基づいて、当該相違点１に係る本願補正発明１を特定する事項とすることは、当業者が容易になし得ることである。
　相違点２について　
　刊行物アには本願補正発明１における「センター役物（液晶表示ユニット）の略円弧形状に倣うように湾曲させた状態（円弧状壁片１３の内面に密着させてほぼ固定される）で収容部（空間ｓ）に設けられたフレキシブル基板（薄くて可撓性を有する基板２１）」に対応する技術事項が記載されている。そして、フレキシブル基板を収容部のどこに設けるかは、組み立て時の作業性や点検・交換時の容易性などを考慮して当業者が適宜採用し得る設計上の事項であり、またセンター役物の上端部が円弧形状に形成されることは上記「相違点１について」において検討したように当業者が適宜採用し得る設計上の事項であるから、当該刊行物アに記載された技術事項を引用発明１の「基板」に適用して、当該相違点２に係る本願補正発明１を特定する事項とすることは、当業者が容易になし得ることである。
　相違点３について　
　刊行物イには「発光体（照明灯２４）の前側に位置して収容部（照明室２３）における前側の壁面（底面を除く内面）に配置される反射板（鏡面仕上げ３４された、上記内面）を有した、発光手段」が記載されている。ここで、当該反射板が「発光体の光を遊技盤面側（パチンコ機１３の前面）へ反射する」こと、及び「発光体の点灯時に、遊技盤面とは異なる方向へ照射された光を前記反射板が遊技盤面側に反射し得るよう構成した」ことは技術常識から明らかである。そうすると、当該刊行物イに記載された技術事項と引用発明１の「発光手段」とは「遊技機における発光手段」において共通しているから、当該刊行物イに記載された技術事項を引用発明１の「発光手段」に適用して、当該相違点３に係る本願補正発明１を特定する事項とすることは、当業者が容易になし得ることである。
　相違点４について　
　刊行物アにおいては、「多数の発光素子２３が配置された光源回路基板２０を設け」、「光源回路基板２０を湾曲させてレンズ部６の曲面形状に沿ってほぼ一定の間隔を保持するように設け」、「円弧状壁片１３の内面が前記レンズ部６の曲面形状に沿ってほぼ一定の間隔を保持されるように設け」られ、「光源回路基板２０は、全体を湾曲させつつ前記円弧状壁片１３の内面に密着させて、該円弧状壁片１３にほぼ固定される」ものであり、上記「円弧状壁片１３の内面が前記レンズ部６の曲面形状に沿ってほぼ一定の間隔を保持」との記載によれば「レンズ部６の曲面形状は円弧状」であるものと認められる。そうすると刊行物アには、「円弧形状の透光性部材からの距離がほぼ一定になるように配設される、複数の発光体」の技術事項が記載されているといえるから、当該刊行物アに記載された技術事項を引用発明１の「発光体」に適用して、当該相違点４に係る本願補正発明１を特定する事項とすることは、当業者が容易になし得ることである。
　　　　
　また、引用発明１は、「遊技盤面上の光装飾の効果を十分奏し得る」ものであるから、本願補正発明１が格別の効果を奏するものとは認められない。
　
　したがって、本願補正発明１は、引用発明１、刊行物ア及びイに記載された技術事項に基づいて、当業者が容易に発明をすることができたものであるから、特許法第２９条第２項の規定により特許出願の際独立して特許を受けることができないものである。
　
　（う）補正却下の決定のむすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第三、本願発明について
　平成２０年１２月２４日付けの手続補正は上記のとおり却下されることとなったので、本願の請求項１乃至５に係る発明は、上記平成２０年９月１０日付けで補正された明細書の記載からみて、その特許請求の範囲の請求項１乃至５に記載された事項により特定されるものと認められるところ、その請求項１に記載された発明を再掲すると次のとおりのものである。
　【請求項１】
　略円形状に湾曲形成された案内レールを遊技盤に配設して、この案内レールにより略円形状の遊技領域を遊技盤に画成した遊技機において、
　前記遊技領域の中央位置に配置され、前記遊技盤の遊技盤面から該遊技領域側に突出させて設けられるセンター役物と、
　前記センター役物において左右方向の中心位置が上方に膨出する円弧状に形成された上端部に、前記遊技盤面に臨むように設けられた収容部と、
　前記収容部に、前記センター役物の上端部の円弧形状に倣うように配設され、前記遊技領域内の該センター役物の上方位置における遊技盤面を照明する発光手段とを備える
ことを特徴とする遊技機。
　
　（Ａ）刊行物に記載された発明
　原査定の拒絶理由に引用された引用刊行物１（特開平１０−２１６３０５号公報）に記載された事項は前記「第二、［理由］（２）（あ）刊行物に記載された発明」に記載された事項と同様であるから、援用する。
　
　（Ｂ）本願発明１と引用発明１との比較・検討
　（Ｂ−１）引用発明１の「ほぼ円状に」は本願発明１の「略円形状に湾曲形成された」に相当し、以下同様に、「誘導レール３１」は「案内レール」に、「遊技盤３０」は「遊技盤」に、「植立され」は「配設して」に、「遊技領域３２」は「略円形状の遊技領域」に、「区画」は「画成」に、「弾球遊技機１」は「遊技機」に、「特別可変表示装置５０」は「センター役物」に、「ランプ取付基体６１」は「（その）内部に装飾ランプ６３は取り付け収納され」ているから「収容部」に、「特別可変表示装置５０の外周に沿った上方位置」は「センター役物の上方位置」に、「遊技盤３０表面」は「遊技盤面」に、「光照射を行い」は「照明する」に、それぞれ相当する。
　（Ｂ−２）引用発明１の「特別可変表示装置５０」は、「遊技領域３２のほぼ中央に配置され」、「特別図柄表示部５４〜５６の上方に、入賞口５８が設けられ」るものであり、当該分野の技術常識である「遊技盤面を流下するパチンコ球が、遊技盤面から遊技領域側に突出させて設けられる役物に設けられた入賞口に入賞する」ことを考慮すれば、引用発明１は本願発明１の「遊技盤の遊技盤面から遊技領域側に突出させて設けられるセンター役物」に相当する事項を備えていることは明らかである。
　（Ｂ−３）引用発明１の「遊技盤３０の表面に取り付けられ、切欠開口６１ｂが形成されているランプ取付基体６１」について、「発光装置４２及び発光装置６０は、基本的に発光装置４３と同一の構成で」あることに着目しつつ、検討する。
　　ａ）引用発明１においては、発光装置６０に備えられる装飾ランプ６３はランプ取付基体６１の内部に取り付け収納され、ランプ取付基体６１の切欠開口６１ｂを塞ぐように青色の透明レンズ体６４が設けられ、装飾ランプ６３はランプ取付基体６１及び透明レンズ体６４によって前面側が被覆され、装飾ランプ６３からの発光は透明レンズ体６４を透過して遊技盤３０の表面に青色照射されるものであるから、そうすると透明レンズ体６４と遊技盤３０の表面との間には装飾ランプ６３からの発光を遮るものが存在しない、即ちランプ取付基体６１及び透明レンズ体６４は特別可変表示装置５０の端部に形成されていると解することができる。したがって、引用発明１は、本願発明１の「センター役物において端部に、遊技盤面に臨むように設けられた収容部」に相当する事項を備えているといえる。
　　ｂ）引用発明１の「装飾ランプ６３を１個のみ備えることで、遊技盤３０表面の１箇所に光照射を行う、発光装置６０」との事項及び「光反射領域７０は、２つの発光装置４２及び２つの発光装置４３並びに２つの発光装置６０の光照射部分と対応すべく、特別可変表示装置５０の外周に沿った上方、下方、左方及び右方位置の各々に２箇所ずつ、計８箇所に設けられ」との事項について、各発光装置４２，４３，６０と特別可変表示装置５０との位置関係を考慮すれば、引用発明１では、「発光装置６０に備えられる装飾ランプ６３が、特別可変表示装置５０の外周に沿った上方位置の２箇所に光照射を行う」ものであることは明らかである。
　　ｃ）そうすると、上記ａ）及びｂ）に記載の事項並びに「特別可変表示装置５０は上端部が上方に膨出する形状に形成され」との事項から、引用発明１は本願発明１の「センター役物において左右方向の中心位置が上方に膨出する形状に形成された上端部に、遊技盤面に臨むように設けられた収容部」に相当する事項を備えているといえる。
　（Ｂ−４）引用発明１の、「遊技盤３０の表面に取り付けられるランプ取付基体６１とランプ基板６２とを備え、装飾ランプ６３は、ランプ基板６２を介してランプ取付基体６１の内部に取り付け収納され」る、「発光装置４３」及び「装飾ランプ６３を１個のみ備えることで、遊技盤３０表面の１箇所に光照射を行」なう「発光装置６０」並びに入賞口５８の側方に２つ設けられる「発光装置６０」について、「発光装置６０は、基本的に発光装置４３と同一の構成で」あることに着目しつつ検討すると、引用発明１の「発光装置６０に備えられる装飾ランプ６３が、特別可変表示装置５０の外周に沿った上方位置の２箇所に光照射を行う」ものであることは上記「（Ｂ−３）　ｂ）」に記載したとおり明らかであるから、引用発明１は本願発明１の「（前記）収容部に、（前記）センター役物の上端部の円弧形状に倣うように配設され、（前記）遊技領域内の該センター役物の上方位置における遊技盤面を照明する発光手段とを備える」との事項と比較して、「（前記）収容部に配設され、（前記）遊技領域内の該センター役物の上方位置における遊技盤面を照明する発光手段とを備える」において一致する。
　　　　
　そうすると、両者の一致点及び相違点は次のとおりである。
　一致点
　略円形状に湾曲形成された案内レールを遊技盤に配設して、この案内レールにより略円形状の遊技領域を遊技盤に画成した遊技機において、
　前記遊技領域に配置され、前記遊技盤の遊技盤面から該遊技領域側に突出させて設けられるセンター役物と、
　前記センター役物において左右方向の中心位置が上方に膨出する形状に形成された上端部に、前記遊技盤面に臨むように設けられた収容部と、
　前記収容部に配設され、前記遊技領域内の該センター役物の上方位置における遊技盤面を照明する発光手段とを備える、遊技機。
　
　相違点ａ
　センター役物が、本願発明１では遊技領域の中央位置に配置され、上端部が円弧形状に形成されるのに対し、引用発明１では遊技領域のほぼ中央に配置され、上方には入賞口が設けられ、上端部が上方に膨出する形状に形成される点。
　相違点ｂ
　収容部に配設される発光手段が、本願発明１では、センター役物の上端部の円弧形状に倣うように配設されるのに対し、引用発明１ではそのような構成を有するかどうか明らかでない点。
　　　　　
　そこで、上記相違点について検討する。
　相違点ａについて　　　　
　センター役物の上端部の形状及び入賞口の有無、並びにセンター役物の遊技領域への取付け位置をどのようなものとするかは、遊技盤面の意匠的な審美観や遊技領域を流下するパチンコ球の誘導方向、入賞形態などを総合的に考慮して当業者が適宜採用し得る設計上の事項であるから、引用発明１の「遊技領域のほぼ中央に配置され、上方には入賞口が設けられ、上端部が上方に膨出する形状に形成されるセンター役物」に基づいて、当該相違点ａに係る本願発明１を特定する事項とすることは、当業者が容易になし得ることである。
　
　相違点ｂについて　
　上記「（Ｂ−３）　ｃ）」に記載のように、引用発明１は「センター役物において左右方向の中心位置が上方に膨出する形状に形成された上端部に設けられた収容部」を備えており、また上記「（Ｂ−４）」に記載のように、該「収容部」には「発光手段」が配設されているから、これらの事項と、上記「相違点１について」において検討した、「センター役物の上端部が円弧形状に形成されることは当業者が適宜採用し得る設計上の事項である」ことを併せ考えれば、センター役物の上端部の円弧形状に倣うように発光手段を配設すること、即ち当該相違点ｂに係る本願発明１を特定する事項とすることは、引用発明１に基づいて、当業者が容易になし得ることである。
　　　　　
　また、引用発明１は、「遊技盤面上の光装飾の効果を十分奏し得る」ものであるから、本願発明１が格別の効果を奏するものとは認められない。
　　
第四、むすび
　以上のとおり、本願発明１は、引用発明１に基づいて、当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。